【手続補正書】
【提出日】平成23年6月17日(2011.6.17)
【手続補正１】
【補正対象書類名】特許請求の範囲
【補正対象項目名】全文
【補正方法】変更
【補正の内容】
【特許請求の範囲】
【請求項１】
主画像データと、前記主画像データに対応するサムネイル画像データとを、モニタに表示させるためのプログラムであって、
前記主画像データと、前記サムネイル画像データと、色空間を指定する色空間情報とを含む画像ファイルを取得するための機能と、
前記主画像データを前記モニタに表示させる場合に、前記色空間情報に応じた色空間を利用して、前記主画像データを前記モニタに表示させるための機能と、
前記サムネイル画像データを前記モニタに表示させる場合に、前記色空間情報に応じた色空間を利用せずに、前記サムネイル画像データを前記モニタに表示させるための機能と、
をコンピュータに実現させるプログラム。
【請求項２】
前記主画像データを前記モニタに表示させる場合に、前記色空間情報に応じた変換が前記主画像データに対して行われ、
前記サムネイル画像データを前記モニタに表示させる場合に、前記色空間情報に応じた変換が前記サムネイル画像データに対して行われない、
請求項１に記載のプログラム。
【請求項３】
前記主画像データを前記モニタに表示させる場合に、前記色空間情報に応じた色空間が判別され、
前記サムネイル画像データを前記モニタに表示させる場合に、前記色空間情報に応じた色空間が判別されない、
請求項１または請求項２に記載のプログラム。
【請求項４】
前記主画像データを前記モニタに表示させる場合に、前記主画像データが可能な限り忠実に表示され、
前記サムネイル画像データを前記モニタに表示させる場合に、前記サムネイル画像データが高速に表示される、
請求項１ないし請求項３のいずれかに記載のプログラム。
【請求項５】
前記画像ファイルを取得するための機能により取得される前記主画像データと前記サムネイル画像データとは、圧縮画像データである、請求項１ないし請求項４のいずれかに記載のプログラム。
【請求項６】
前記色空間情報により指定される色空間は、ＡｄｏｂｅＲＧＢの色空間である、請求項１ないし請求項５のいずれかに記載のプログラム。
【請求項７】
前記色空間情報により指定される色空間は、前記主画像データの作成時に使用された色空間である、請求項１ないし請求項６のいずれかに記載のプログラム。
【請求項８】
複数の前記サムネイル画像データを前記モニタに表示させるための機能をコンピュータに実現させる、請求項１ないし請求項７のいずれかに記載のプログラム。
【請求項９】
請求項１ないし請求項８のいずれかに記載のプログラムに基づくコンピュータにより、前記主画像データと、前記サムネイル画像データとを、前記モニタに表示させる方法であって、
前記画像ファイルを取得するための工程と、
前記主画像データを前記モニタに表示させる場合に、前記色空間情報に応じた色空間を利用して、前記主画像データを前記モニタに表示させるための工程と、
前記サムネイル画像データを前記モニタに表示させる場合に、前記色空間情報に応じた色空間を利用せずに、前記サムネイル画像データを前記モニタに表示させるための工程と、
を備える方法。
【請求項１０】
主画像データと、前記主画像データに対応するサムネイル画像データとを、モニタに表示させるカメラであって、
前記主画像データと、前記サムネイル画像データと、色空間を指定する色空間情報とを含む画像ファイルを取得するための手段と、
前記主画像データを前記モニタに表示させる場合に、前記色空間情報に応じた色空間を利用して、前記主画像データを前記モニタに表示させるための手段と、
前記サムネイル画像データを前記モニタに表示させる場合に、前記色空間情報に応じた色空間を利用せずに、前記サムネイル画像データを前記モニタに表示させるための手段と、
を備えるカメラ。
【請求項１１】
主画像データと、前記主画像データに対応するサムネイル画像データとを表示するモニタであって、
前記主画像データと、前記サムネイル画像データと、色空間を指定する色空間情報とを含む画像ファイルを取得するための手段と、
前記主画像データを表示する場合に、前記色空間情報に応じた色空間を利用して、前記主画像データを表示する手段と、
前記サムネイル画像データを表示する場合に、前記色空間情報に応じた色空間を利用せずに、前記サムネイル画像データを表示する手段と、
を備えるモニタ。
【請求項１２】
主画像データと、前記主画像データに対応するサムネイル画像データとを、モニタに表示させるプリンタであって、
前記主画像データと、前記サムネイル画像データと、色空間を指定する色空間情報とを含む画像ファイルを取得するための手段と、
前記主画像データを前記モニタに表示させる場合に、前記色空間情報に応じた色空間を利用して、前記主画像データを前記モニタに表示させるための手段と、
前記サムネイル画像データを前記モニタに表示させる場合に、前記色空間情報に応じた色空間を利用せずに、前記サムネイル画像データを前記モニタに表示させるための手段と、
を備えるプリンタ。
【手続補正２】
【補正対象書類名】明細書
【補正対象項目名】発明の名称
【補正方法】変更
【補正の内容】
【発明の名称】画像を再生するためのプログラム、方法、カメラ、モニタ、及び、プリンタ
【手続補正３】
【補正対象書類名】明細書
【補正対象項目名】０００６
【補正方法】変更
【補正の内容】
【０００６】
上記目的の少なくとも一部を達成するために、本発明の一形態によるプログラムは、主画像データと、前記主画像データに対応するサムネイル画像データとを、モニタに表示させるためのプログラムであって、前記主画像データと、前記サムネイル画像データと、色空間を指定する色空間情報とを含む画像ファイルを取得するための機能と、前記主画像データを前記モニタに表示させる場合に、前記色空間情報に応じた色空間を利用して、前記主画像データを前記モニタに表示させるための機能と、前記サムネイル画像データを前記モニタに表示させる場合に、前記色空間情報に応じた色空間を利用せずに、前記サムネイル画像データを前記モニタに表示させるための機能と、をコンピュータに実現させるプログラムである。
本願発明は、プログラムの他に、モニタ、カメラ、あるいはプリンタとしても実現可能である。
また、本発明は、以下の形態としても実現可能である。本発明の第１の画像再生装置は、画像データと、前記画像データに関連する色空間を表す色空間識別情報と、が互いに対応付けられた画像データセットに基づいて画像を再生する装置である。前記色空間識別情報は、所定の標準色空間と他の特定色空間とを含む複数の色空間のうちのいずれであるかを示すことが可能である。前記画像再生装置は、前記画像データを処理対象画像データとして選択し、前記処理対象画像データに色空間の変換を含む処理を実行して再生用画像データを生成するデータ処理部と、前記再生用画像データに応じて視認可能に画像を出力する画像出力装置と、を備える。前記データ処理部は、前記色空間識別情報で指定された色空間を判別する色空間判別部と、前記特定色空間を利用せずに前記処理対象画像データに対して色空間変換を行う基本色空間変換の機能と、前記特定色空間を利用して前記処理対象画像データの色空間を前記画像出力装置に適した装置依存色空間に変換する装置依存色空間変換の機能と、を有する色空間変換部と、を有している。また、前記データ処理部は、（ｉ）前記色空間識別情報で指定された色空間が前記標準色空間である場合には、前記処理対象画像データに対して前記基本色空間変換を行って前記再生用画像データを生成し、（ｉｉ）前記色空間識別情報で指定された色空間が前記特定色空間である場合には、前記処理対象画像データに対して前記装置依存色空間変換を行って前記再生用画像データを生成する。